(57)【特許請求の範囲】
【請求項１】
プランジャを押圧することにより作動するリミットスイッチを備え、前記プランジャの後方に、プランジャを押圧するピストンと、該ピストンを摺動可能に支持する、消火剤流路の配管に接続される第１シリンダとを配設するとともに、該第１シリンダを摺動可能に支持する第２シリンダを前記リミットスイッチに固設し、第１シリンダ又はピストンに、第１シリンダをプランジャ側に押圧、移動することにより、ピストンを介してプランジャを押圧、移動させる係合部を設け、前記リミットスイッチを手動による第１シリンダの押圧操作により作動可能にしたことを特徴とするガス系消火設備用圧力スイッチ。
【請求項２】
第１シリンダがテーパねじを有するニップルを備えたことを特徴とする請求項１記載のガス系消火設備用圧力スイッチ。
【請求項３】
第１シリンダの後方で第２シリンダに螺合し、かつ締着することにより第１シリンダを押圧、移動させて、第１シリンダをプランジャ側に移動させる固定用リング部材を設けたことを特徴とする請求項１又は２記載のガス系消火設備用圧力スイッチ。
【発明の詳細な説明】
【０００１】
【発明の属する技術分野】
本発明は、ガス系消火設備に使用される圧力スイッチに関し、特に、パック式の消火設備を備えるようなキュービクル等に適し、圧力スイッチを軽量かつコンパクトに形成するとともに、設置を極めて容易にすることができるガス系消火設備用圧力スイッチに関するものである。
【０００２】
【従来の技術】
ガス系消火設備が作動したことを確認する方法として、消火剤貯蔵容器弁の出口の配管内あるいは多系統を確認する方法があるが、そのうちの１系統が作動したことを確認する場合は、選択弁の出口の配管内の圧力を圧力スイッチで検出することが一般的に行われている。
これは、消火剤が放出された旨を表示する表示灯が法的に必要なためで、圧力スイッチによる消火剤放出の確認は、この放出表示灯を点灯させるために使用される。
この消火剤放出の信号を制御回路に取り込んでリレー回路にて表示灯を作動させようとすると、大きな接点容量のリレーが必要となるため、簡便な消火システムの場合は、比較的大きな接点容量を持ったリミットスイッチを圧力スイッチに組み込み、この接点で表示灯を直接点灯させるように回路を構成することが一般的である。
【０００３】
一方、このような圧力スイッチでは、消火剤の放出時に放出表示灯が確実に点灯するように、圧力スイッチを手動で操作することにより、その作動状態を試験できるようにしている。
すなわち、従来の圧力スイッチは、プランジャを押圧することにより作動するリミットスイッチを備え、該プランジャの後方にプランジャを押圧するピストンと、該ピストンを摺動可能に支持するシリンダとを配設するとともに、プランジャの前方に、該プランジャを作動側に移動させる手動ノブを設け、シリンダのピストン後方に消火剤流路との接続部を突設し、ガス系消火設備の作動を確認できるようにするとともに、手動ノブを引くことにより、前記放出表示灯の点灯を試験できるようにしている。
【０００４】
【発明が解決しようとする課題】
しかしながら、上記従来の圧力スイッチは、放出表示灯の点灯試験用の手動ノブが消火剤流路の接続部と反対側に突出する上、本来は選択弁ユニットの端子箱近傍に露出させ、電線管等で配線することを目的とした圧力スイッチ箱であることから、ハウジングが大きく重くなり、ハウジングを固定する必要があるとともに、このような圧力スイッチを、パック式の消火設備を備えるキュービクル内に設置することはオーバースペックとなるという問題があった。
【０００５】
本発明は、上記従来の圧力スイッチが有する問題点に鑑み、パック式の消火設備を備えるようなキュービクル等に適し、圧力スイッチを軽量かつコンパクトに形成するとともに、設置を極めて容易にすることができるガス系消火設備用圧力スイッチを提供することを目的とする。
【０００６】
【課題を解決するための手段】
上記目的を達成するため、本発明のガス系消火設備用圧力スイッチは、プランジャを押圧することにより作動するリミットスイッチを備え、前記プランジャの後方に、プランジャを押圧するピストンと、該ピストンを摺動可能に支持する、消火剤流路の配管に接続される第１シリンダとを配設するとともに、該第１シリンダを摺動可能に支持する第２シリンダを前記リミットスイッチに固設し、第１シリンダ又はピストンに、第１シリンダをプランジャ側に押圧、移動することにより、ピストンを介してプランジャを押圧、移動させる係合部を設け、前記リミットスイッチを手動による第１シリンダの押圧操作により作動可能にしたことを特徴とする。
【０００７】
このガス系消火設備用圧力スイッチは、従来のように、放出表示灯の点灯試験用の手動ノブが消火剤流路の接続部と反対側に突出することがなく、さらに、手動ノブとなる第１シリンダを消火剤流路との接続部として構成できることから、圧力スイッチを軽量かつコンパクトに形成するとともに、その設置を極めて容易にし、これにより、キュービクルのようなパック式の消火設備の製造コストを大きく低減することができる。
【０００８】
この場合において、第１シリンダがテーパねじを有するニップルを備えることができる。
【０００９】
これにより、圧力スイッチを選択弁出口や配管の圧力取り出し口に直接接続することが可能であり、配線を直に接続できるため、組み立て工数を大幅に削減することができる。
【００１０】
また、第１シリンダの後方で第２シリンダに螺合し、かつ締着することにより第１シリンダを押圧、移動させて、第１シリンダをプランジャ側に移動させる固定用リング部材を設けることができる。
【００１１】
これにより、固定用リング部材を締着して第１シリンダをプランジャ側に移動させ、第１シリンダをこの押し込み位置で保持することができる。
【００１２】
【発明の実施の形態】
以下、本発明のガス系消火設備用圧力スイッチの実施の形態を図面に基づいて説明する。
【００１３】
図１〜図３に、本発明のガス系消火設備用圧力スイッチの第１実施例を示す。
この圧力スイッチは、プランジャ１を押圧することにより作動するリミットスイッチ２を備え、ガス系消火設備が作動した場合に、該リミットスイッチ２の接点をＯＮにして、消火剤放出表示灯（図示省略）を点灯させるようになっている。
そして、この圧力スイッチは、リミットスイッチ２のプランジャ１の後方に、該プランジャ１を押圧するピストン３と、該ピストン３を摺動可能に支持する第１シリンダ４とを配設するとともに、第１シリンダ４を摺動可能に支持する第２シリンダ５を前記リミットスイッチ２に固設し、第１シリンダ４とピストン３に、第１シリンダ４をプランジャ１側に押圧することにより係合し、ピストン３を介してプランジャ１を押圧する係合部６を設けている。
【００１４】
リミットスイッチ２は、ばねにより突出方向に付勢されたプランジャ１を図示下方に押圧することにより、コード２１の接点（マイクロスイッチ）をＯＮにする既知の構成を有している。
このリミットスイッチ２にはねじ止め端子が付いており、配線端子保護カバー２２を被せ、配線の絶縁保護を行えるようになっている。
リミットスイッチ２としては、ファストン端子付きのものや半田付けタイプのリミットスイッチを使用してもよいが、圧力信号を電気信号に変換することから、温度変化にともなう水分等の付着が考えられるため、配線端子保護カバー２２のような防水カバー等を設けることが望ましい。
また、リード線付きのリミットスイッチでもよいが、信号線の長さは設備によって大幅に配置が変わるため、現地にて取り付け取り外しが可能な端子付きが望ましい。
【００１５】
ピストン３は、その下部に大径に形成されたプランジャ保持部７を有し、このプランジャ保持部７は、下方に開口する凹部７ａにプランジャ１の先端部を収容するとともに、圧力スイッチの作動時に、プランジャ周囲の取付ねじ部８に先端を当接させることにより、プランジャ１の押し込みストロークを制限するように設けられている。
また、このプランジャ保持部７の上端には、第１シリンダ４の下端と係合する段部７ｂが形成され、第１シリンダ４がプランジャ１側に押圧された際に、ピストン３を介してプランジャ１を押圧する係合部６を形成している。
【００１６】
一方、ピストン３を下部内部に収容する第１シリンダ４は、上部外周にテーパねじ９ａを形成したニップル９を備え、消火剤流路の配管側に固定した雌ねじ部等に直接ねじ込んで固定できるようになっている。なお、ニップル９の孔は、第１シリンダ４のピストン室に連通している。
また、この第１シリンダ４の下部外周には大径部４１が形成されており、この大径部４１が第２シリンダ５に摺動・回動可能に支持されている。
【００１７】
第２シリンダ５は、リミットスイッチ２の取付ねじ部８に螺合し、ロックナット１０で固定された下部ナット５１と、該下部ナット５１の上部細径部外周に螺合する上部ナット５２とからなり、上部ナット５２の下部に形成した大径の筒状部５３に、第１シリンダ４の大径部４１を摺動・回動可能に収容するとともに、上部ナット５２の上部に形成した小径の筒状部５４に、第１シリンダ４のニップル９を摺動・回動可能に保持している。
【００１８】
この圧力スイッチは、通常時は図１に示す状態であり、図２に示すように、手動で第１シリンダ４をプランジャ１側に押圧することにより、ピストン３を介してプランジャ１を押圧し、リミットスイッチ２を作動させて、消火剤放出表示灯の点灯を試験することができる。
また、消火剤が実際に放出された場合は、図３に示すように、消火剤ガスの高圧力によってピストン３がプランジャ１側に移動してプランジャ１を押圧し、リミットスイッチ２を作動させて、消火剤放出表示灯を点灯させることができる。
【００１９】
かくして、本実施例の圧力スイッチは、リミットスイッチ２のプランジャ１の後方にピストン３と第１シリンダ４とを配設するとともに、該第１シリンダ４を摺動可能に支持する第２シリンダ５を前記リミットスイッチ２に固設し、第１シリンダ４をプランジャ１側に押圧することにより、ピストン３を介してプランジャ１を押圧するようにしたことから、従来のように、表示灯点灯試験用の手動ノブが消火剤流路の接続部と反対側に突出することがなく、さらに、手動ノブとなる第１シリンダ４を消火剤流路との接続部として構成できることから、圧力スイッチを軽量かつコンパクトに形成するとともに、その設置を極めて容易にし、これにより、キュービクルのようなパック式の消火設備の製造コストを大きく低減することができる。
【００２０】
また、第１シリンダ４がテーパねじ９ａを有するニップル９を備えることから、圧力スイッチを選択弁出口や配管の圧力取り出し口に直接接続することが可能であり、配線を直に接続できるため、組み立て工数を大幅に削減することができる。
従来の圧力スイッチではハウジングが大きく重かったため、ハウジング自体を固定する必要があったが、本実施例の圧力スイッチでは、配管部材に単にリミットスイッチが付設したような形となり、ほとんど端子台の感覚で電気の配線を接続することができる。
これにより、場所によっては電気配線を行った後に、圧力スイッチを圧力配管にねじ込んで固定することができる。
【００２１】
次に、図４〜図６を参照して、本発明のガス系消火設備用圧力スイッチの第２実施例を説明する。
【００２２】
この圧力スイッチは、基本的な構造は第１実施例と同様であるが、第１シリンダ４の後方で第２シリンダ５に螺合し、かつ締着することにより第１シリンダ４の大径部４１を押圧して、第１シリンダ４をプランジャ１側に移動させる固定用リング部材１１を備えている。
固定用リング部材１１は、上部ナット５２の小径筒状部５４に螺合するとともに、その筒状部１１ａに第１シリンダ４のニップル９を摺動・回動可能に挿通させている。
なお、図４〜図６において、第１実施例と同一部材は、同一符号を記すことにより説明を省略する。
【００２３】
前記した第１実施例の圧力スイッチでは、手動による消火剤放出表示灯の点灯試験の際には、第１シリンダ４を手で押し続けなければならないが、この第２実施例の圧力スイッチでは、固定用リング部材１１を締着して第１シリンダ４をプランジャ１側に移動させることにより、第１シリンダ４をこの押し込み位置で保持することができる。
【００２４】
すなわち、この第２実施例の圧力スイッチは、通常時は図４に示す状態であるが、図６に示すように、固定用リング部材１１を締着して第１シリンダ４をプランジャ１側に移動させることにより、ピストン３を介してプランジャ１を押圧し、リミットスイッチ２を作動させて、消火剤放出表示灯の点灯を試験することができる。
この場合、図５に示すように、固定用リング部材１１を締着することなく、第１シリンダ４をプランジャ１側に押圧することにより、ピストン３を介してプランジャ１を押圧することもできる。
また、消火剤が実際に放出された場合は、第１実施例と同じように、図４に示す状態から、消火剤ガスの圧力によってピストン３がプランジャ１側に移動してプランジャ１を押圧し、リミットスイッチ２を作動させて、消火剤放出表示灯を点灯させることができる（図３参照）。
【００２５】
以上、本発明の実施例を説明したが、本発明のガス系消火設備用圧力スイッチは、キュービクルのようなパック式の消火設備はもとより、通常の消火設備の圧力スイッチとしても好適に使用することができる。
【００２６】
【発明の効果】
本発明のガス系消火設備用圧力スイッチによれば、プランジャを押圧することにより作動するリミットスイッチを備え、前記プランジャの後方に、プランジャを押圧するピストンと、該ピストンを摺動可能に支持する、消火剤流路の配管に接続される第１シリンダとを配設するとともに、該第１シリンダを摺動可能に支持する第２シリンダを前記リミットスイッチに固設し、第１シリンダ又はピストンに、第１シリンダをプランジャ側に押圧、移動することにより、ピストンを介してプランジャを押圧、移動させる係合部を設け、前記リミットスイッチを第１シリンダの手動による押圧操作により作動可能にするようにしたことから、従来のように、放出表示灯の点灯試験用の手動ノブが消火剤流路の接続部と反対側に突出することがなく、さらに、手動ノブとなる第１シリンダを消火剤流路との接続部として構成できることから、圧力スイッチを軽量かつコンパクトに形成するとともに、その設置を極めて容易にし、これにより、キュービクルのようなパック式の消火設備の製造コストを大きく低減することができる。
【００２７】
また、第１シリンダがテーパねじを有するニップルを備えることにより、圧力スイッチを選択弁出口や配管の圧力取り出し口に直接接続することが可能であり、配線を直に接続できるため、組み立て工数を大幅に削減することができる。
【００２８】
さらに、第１シリンダの後方で第２シリンダに螺合し、かつ締着することにより第１シリンダの一部を押圧、移動させて、第１シリンダをプランジャ側に移動させる固定用リング部材を設けることにより、固定用リング部材を締着して第１シリンダをプランジャ側に移動させ、第１シリンダをこの押し込み位置で保持することができる。
【図面の簡単な説明】
【図１】  本発明のガス系消火設備用圧力スイッチの第１実施例を示し、（ａ）は要部断面正面図、（ｂ）は同側面図、（ｃ）は同平面図である。
【図２】  手動により第１シリンダをプランジャ側に押圧した状態を示す要部断面正面図である。
【図３】  消火剤ガスの圧力によりピストンがプランジャ側に移動した状態を示す要部断面正面図である。
である。
【図４】  本発明のガス系消火設備用圧力スイッチの第２実施例を示し、（ａ）は要部断面正面図、（ｂ）は同側面図、（ｃ）は同平面図である。
【図５】  手動により第１シリンダをプランジャ側に押圧した状態を示す要部断面正面図である。
【図６】  固定用リング部材により第１シリンダをプランジャ側に移動させた状態を示す要部断面正面図である。
【符号の説明】
１    プランジャ
２    リミットスイッチ
２１  コード
３    ピストン
４    第１シリンダ
４１  大径部
５    第２シリンダ
５１  下部ナット
５２  上部ナット
５３  大径筒状部
５４  小径筒状部
６    係合部
７    プランジャ保持部
７ａ  凹部
７ｂ  段部
８    取付ねじ部
９    ニップル
９ａ  テーパねじ
１０  ロックナット
１１  固定用リング部材
１１ａ  筒状部
【図１】
0004717293.tif 000002
【図２】
0004717293.tif 000003
【図３】
0004717293.tif 000004
【図４】
0004717293.tif 000005
【図５】
0004717293.tif 000006
【図６】
0004717293.tif 000007